(57)【要約】【課題】この発明は、外部接続された録画機器に対して、その録画機器が持つ選局機能を用いて番組を選局し録画を行なうように制御することにより、自己の持つ選局機能で別の番組を選局することを可能として、ユーザにとっての利便性を向上させるようにした録画制御装置及び録画制御方法を提供することを目的としている。【解決手段】それぞれが選局機能を備えた複数の録画機器から所定の録画機器を選択し、選択した録画機器に対して録画情報を設定すると、設定した録画情報に基づいて録画機器が自己の選局機能を用いて番組を選局し録画する。【選択図】    図２
2006094432.tif 000002
【特許請求の範囲】
【請求項１】
複数の番組を含む信号が入力される入力手段と、
前記入力手段に入力された信号から所定の番組を選局する選局手段と、
それぞれが選局機能を備えた複数の録画機器を接続可能とする接続手段と、
前記接続手段に接続された複数の録画機器から所定の録画機器を選択可能とする機器選択手段と、
前記機器選択手段で選択された録画機器に対して録画情報を設定可能とすることにより、前記選択された録画機器が前記録画情報に基づき自己の選局機能を用いて番組を選局し録画することを可能とする設定手段と、
前記録画機器に録画された番組及び前記選局手段で選局された番組を選択的に再生する信号処理手段とを具備することを特徴とする録画制御装置。
【請求項２】
前記設定手段は、
番組情報を取得する取得手段と、
前記取得手段で取得した番組情報に基づいて電子番組表を作成する番組表作成手段と、
前記番組表作成手段で作成された電子番組表を表示する表示手段と、
前記表示手段で表示された電子番組表から所定の番組を選択可能とする番組選択手段と、
前記番組選択手段で選択された番組を特定する情報を含む前記録画情報を作成する録画情報作成手段と、
前記録画情報作成手段で作成された録画情報を前記機器選択手段で選択された録画機器に送信して設定させる録画情報設定手段とを具備することを特徴とする請求項１記載の録画制御装置。
【請求項３】
前記録画情報作成手段は、
前記番組選択手段で選択された番組に関する属性情報を設定可能とする番組属性設定手段と、
前記機器選択手段で選択された録画機器に関する属性情報を設定可能とする機器属性設定手段とを具備し、
前記番組属性設定手段及び前記機器属性設定手段で設定された各属性情報を含む前記録画情報を作成することを特徴とする請求項２記載の録画制御装置。
【請求項４】
前記番組選択手段で選択された番組が視聴制限されている場合、その視聴制限を解除するための暗証番号を入力可能とする暗証番号入力手段を具備することを特徴とする請求項２記載の録画制御装置。
【請求項５】
前記番組選択手段で選択された番組が購入番組である場合、その番組を購入するための操作を可能とする操作手段を具備することを特徴とする請求項２記載の録画制御装置。
【請求項６】
前記設定手段は、
チャンネル及び日時を設定可能とする日時設定手段と、
前記日時設定手段で設定されたチャンネル及び日時を含む前記録画情報を作成する録画情報作成手段と、
前記録画情報作成手段で作成された録画情報を前記機器選択手段で選択された録画機器に送信して設定させる録画情報設定手段とを具備することを特徴とする請求項１記載の録画制御装置。
【請求項７】
前記録画情報作成手段は、
前記日時設定手段で設定されたチャンネル及び日時に対応した番組に関する属性情報を設定可能とする番組属性設定手段と、
前記機器選択手段で選択された録画機器に関する属性情報を設定可能とする機器属性設定手段とを具備し、
前記番組属性設定手段及び前記機器属性設定手段で設定された各属性情報を含む前記録画情報を作成することを特徴とする請求項６記載の録画制御装置。
【請求項８】
複数の番組を含む信号が入力される入力手段と、
前記入力手段に入力された信号から所定の番組を選局する選局手段と、
複数の録画機器を接続可能とする接続手段と、
前記接続手段に接続された複数の録画機器から所定の録画機器を選択可能とする機器選択手段と、
前記機器選択手段で選択された録画機器に対して録画情報を設定可能とすることにより、前記機器選択手段で選択された録画機器が前記選局手段で選局された番組を録画することを可能とする設定手段と、
前記録画機器に録画された番組及び前記選局手段で選局された番組を選択的に再生する信号処理手段とを具備することを特徴とする録画制御装置。
【請求項９】
前記設定手段は、
番組情報を取得する取得手段と、
前記取得手段で取得した番組情報に基づいて電子番組表を作成する番組表作成手段と、
前記番組表作成手段で作成された電子番組表を表示する表示手段と、
前記表示手段で表示された電子番組表から所定の番組を選択可能とする番組選択手段と、
前記番組選択手段で選択された番組を特定する情報を含む前記録画情報を作成する録画情報作成手段と、
前記録画情報作成手段で作成された録画情報を前記機器選択手段で選択された録画機器に送信して設定させる録画情報設定手段とを具備することを特徴とする請求項８記載の録画制御装置。
【請求項１０】
前記設定手段は、前記取得手段で取得した番組情報に基づいて、前記機器選択手段で選択された録画機器に設定した録画情報に含まれる番組の時間変更を検知したとき、前記録画機器に対して録画時間を変更させるため情報を発生する発生手段を具備することを特徴とする請求項９記載の録画制御装置。
【請求項１１】
それぞれが選局機能を備えた複数の録画機器から所定の録画機器を選択する第１の工程と、
前記第１の工程で選択された録画機器に対して録画情報を設定する第２の工程と、
前記第２の工程で設定された録画情報に基づいて、前記第１の工程で選択された録画機器が自己の選局機能を用いて番組を選局し録画する第３の工程とを具備することを特徴とする録画制御方法。
【請求項１２】
前記第２の工程は、
番組情報を取得する工程と、
取得した番組情報に基づいて電子番組表を作成する工程と、
作成された電子番組表を表示する工程と、
表示された電子番組表から所定の番組を選択する工程と、
選択された番組を特定する情報を含む前記録画情報を作成する工程と、
作成された録画情報を前記第１の工程で選択された録画機器に送信して設定させる工程とを具備することを特徴とする請求項１１記載の録画制御方法。
【請求項１３】
前記第２の工程は、
チャンネル及び日時を設定する工程と、
設定されたチャンネル及び日時を含む前記録画情報を作成する工程と、
作成された録画情報を前記第１の工程で選択された録画機器に送信して設定させる工程とを具備することを特徴とする請求項１１記載の録画制御方法。
【発明の詳細な説明】
【技術分野】
【０００１】
この発明は、入力信号から番組を選局して再生する信号処理装置に使用して好適する録画制御装置及び録画制御方法に係り、特に外部に録画機器を接続して制御可能としたものの改良に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル録画機器を接続することにより、受信した番組をデジタル録画したり、録画した番組を再生したりすることが可能となっている。
【０００４】
さらに、現在では、１台のデジタル放送受信装置に対して、複数のデジタル録画機器を接続してネットワーク化することにより、デジタル放送受信装置が、任意のデジタル録画機器を指定して番組の録画を行なわせたり、任意のデジタル録画機器を指定して番組の再生を行なわせたりすることができる。
【０００５】
ところで、このように、複数のデジタル録画機器をネットワーク接続可能としたデジタル放送受信装置においては、デジタル放送受信装置自体の持つ機能と、ネットワーク接続された各種のデジタル録画機器が持つ機能とを効果的に活用して、いかにユーザにとっての利便性を向上させるように工夫を施すかが重要となる。
【０００６】
特許文献１には、複数の映像記録再生装置を利用することにより、予約録画の時間が重なった場合でも、自機で一方の番組を録画し、他の機器を使ってもう一方の番組を録画することができるようにした技術が開示されている。
【０００７】
また、特許文献２には、放送受信装置が取得した番組情報や予約情報を、情報記録再生装置に転送することにより、情報記録再生装置が番組情報や予約情報を有効に活用して予約録画等の処理を行なうことができるようにした技術が開示されている。
【０００８】
さらに、特許文献３には、自動的に得られた番組情報を用いて、受信機画面上での番組選局や番組録画予約、選択した番組の自動チャンネル切換や自動録画、または録画した番組の自動テープ内情報作成等を行なうことができるようにした技術が開示されている。
【特許文献１】特開２００４−１５３５２０号公報
【特許文献２】特開２００３−３４８５０９号公報
【特許文献３】特開２００４−１４７３４０号公報
【発明の開示】
【発明が解決しようとする課題】
【０００９】
そこで、この発明は上記事情を考慮してなされたもので、外部接続された録画機器に対して、その録画機器が持つ選局機能を用いて番組を選局し録画を行なうように制御することにより、自己の持つ選局機能で別の番組を選局することを可能として、ユーザにとっての利便性を向上させるようにした録画制御装置及び録画制御方法を提供することを目的とする。
【課題を解決するための手段】
【００１０】
この発明に係る録画制御装置は、複数の番組を含む信号が入力される入力手段と、入力手段に入力された信号から所定の番組を選局する選局手段と、それぞれが選局機能を備えた複数の録画機器を接続可能とする接続手段と、接続手段に接続された複数の録画機器から所定の録画機器を選択可能とする機器選択手段と、機器選択手段で選択された録画機器に対して録画情報を設定可能とすることにより、選択された録画機器が録画情報に基づき自己の選局機能を用いて番組を選局し録画することを可能とする設定手段と、録画機器に録画された番組及び選局手段で選局された番組を選択的に再生する信号処理手段とを備えるようにしたものである。
【００１１】
また、この発明に係る録画制御方法は、それぞれが選局機能を備えた複数の録画機器から所定の録画機器を選択する第１の工程と、第１の工程で選択された録画機器に対して録画情報を設定する第２の工程と、第２の工程で設定された録画情報に基づいて、第１の工程で選択された録画機器が自己の選局機能を用いて番組を選局し録画する第３の工程とを備えるようにしたものである。
【発明の効果】
【００１２】
上記した発明によれば、外部接続された録画機器に対して、その録画機器が持つ選局機能を用いて番組を選局し録画を行なうようにしたので、自己の持つ選局機能で別の番組を選局することを可能として、ユーザにとっての利便性を向上させるようにすることが可能となる。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（Phase Shift Keying）復調器４６に供給されて、デジタルの映像信号及び音声信号に復調された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３１】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３２】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３３】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３４】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３５】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３６】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３７】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３８】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３９】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４０】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４１】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４２】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４３】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４４】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４５】
ここで、このデジタルテレビジョン放送受信装置１１は、その端子２１〜２４に接続された各機器のうち、デジタル録画機器であってチューナを内蔵したもの、つまり、放送受信機能を有するデジタル録画機器（例えばＡＶ−ＨＤＤ４１、Ｄ−ＶＨＳ４２等）を指定し、その指定したデジタル録画機器のチューナで所望の番組を選局させてデジタル録画させる機能を有している。
【００４６】
なお、この録画機能には、放送予定されている番組を指定して録画を行なう番組指定録画と、チャンネル及び日時を指定して録画を行なう日時指定録画との２種類がある。
【００４７】
図４及び図５は、番組指定録画動作を説明するためのフローチャートを示している。この動作は、ユーザがリモートコントローラ１７の番組表キー１７ｈを操作することによって、開始（ステップＳ４ａ）される。
【００４８】
すると、制御部６１は、予め放送信号やネットワーク等を介して取得した番組情報であるＥＰＧ（Electronic Program Guide）情報に基づいて電子番組表を作成し、その一部を映像表示器１４に表示させる。
【００４９】
図６は、映像表示器１４に表示された電子番組表の一例を示している。この電子番組表は、水平方向に６つの放送局（チャンネル）を配列し、垂直方向に５時間分の時間枠を配列して、番組を表示している。
【００５０】
この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。
【００５１】
すなわち、この電子番組表は、６つの放送局（チャンネル）に対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００５２】
この場合、例えば、表示欄Ｄ〜Ｆに示すように、同じ放送局が複数（図示の場合は３つ）のチャンネル番号を有する場合には、３つの放送局名表示領域Ｄ２〜Ｆ２が１つの共通の放送局名表示領域として使用される。
【００５３】
また、同じ放送局が複数（図示の場合は３つ）のチャンネル番号でそれぞれ同じ番組を放送する、いわゆるイベント共有が行なわれている時間帯では、３つの番組表示領域Ｄ３〜Ｆ３が１つの共通の番組表示領域として使用される。
【００５４】
さらに、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。
【００５５】
この場合、選択されている番組は、表示欄Ａ〜Ｆ内において、その番組の表示領域が他の番組の表示領域と色を変えて表示されるが、図６では、ハッチングで囲むことにより表現している。
【００５６】
また、この電子番組表では、その左右に、上から下に向けて１時間毎の時間枠を示す５つの時間領域Ｈ１〜H５が設けられている。図６では、現在時刻が午前９時１３分であるため、各時間領域H１〜H５がそれぞれ午前９時〜午後１時に対応している状態を示している。そして、現在時刻が午前１０時になると、各時間領域H１〜H５が、それぞれ午前１０時〜午後２時に対応するように切り換えられる。
【００５７】
ユーザは、上記のように表示された電子番組表の中から、所望の番組を選択設定することができる。この選択設定は、リモートコントローラ１７のカーソルキー１７ｆを操作して所望の番組を選択し、決定キー１７ｇを操作することにより実行される。
【００５８】
このため、制御部６１は、ステップＳ４ｂで、電子番組表の中から所望の番組が選択設定されたことを検知すると、ステップＳ４ｃで、図７に示すような番組指定予約画面を表示させる。
【００５９】
この番組指定予約画面では、電子番組表の中からユーザが選択設定した番組に関するチャンネル、番組名、放送日時等が表示される他、その番組に対して「録画する」、「録画しない」を選択するための項目、「映像設定」、「音声設定」、「データ設定」、「音声多重設定」、「字幕設定」、「延長設定」等の各種属性情報を設定する項目、録画機器を指定するための「録画機器設定」の項目等が表示される。
【００６０】
そして、制御部６１は、番組指定予約画面において、「録画する」の項目が選択設定され、各種属性が決定され、「録画機器設定」の項目が選択設定されると、ステップＳ４ｄで、図８に示すような録画機器設定画面を表示させる。
【００６１】
この録画機器設定画面において、録画機器が設定されると、制御部６１は、ステップＳ４ｅで、設定された録画機器に問い合わせることでその録画機器の情報を取得し、録画機器設定画面上にその録画機器で設定可能な属性情報（画質モード、音質モード等）を設定するための項目を表示させる。
【００６２】
そして、制御部６１は、ステップＳ４ｆで、録画機器に対する各種属性情報の設定が終了し、「設定完了」の項目が選択設定されたことを検知すると、ステップＳ４ｇで、電子番組表から選択設定された番組（録画要求された番組）が、視聴制限されているか否かを判別する。
【００６３】
ここで、視聴制限されていると判断された場合（ＹＥＳ）、ユーザはリモートコントローラ１７を操作して、その視聴制限を解除するための暗証番号を入力することができる。このため、制御部６１は、ステップＳ４ｈで、ユーザが暗証番号を入力したことを検知すると、ステップＳ４ｉで、その暗証番号が認証されたか否かを判別し、認証されないと判断された場合（ＮＯ）、処理を終了（ステップＳ４ｐ）する。
【００６４】
また、上記ステップＳ４ｉで暗証番号が認証されたと判断された場合（ＹＥＳ）、制御部６１は、ステップＳ４ｊで、その番組がＰＰＶ（Pay Per View）方式であるか否かを判別する。
【００６５】
そして、ＰＰＶ方式であると判断された場合（ＹＥＳ）、ユーザはリモートコントローラ１７を操作して、その番組の購入操作を行なうことができる。このため、制御部６１は、ステップＳ４ｋで、その番組の購入を確認したか否かを判別し、購入が確認されない場合（ＮＯ）、処理を終了（ステップＳ４ｐ）する。
【００６６】
また、上記ステップＳ４ｊでＰＰＶ方式でないと判断された場合（ＮＯ）、または、上記ステップＳ４ｋで購入が確認された場合（ＹＥＳ）、制御部６１は、ステップＳ４ｌで、先に電子番組表の中からユーザが選択設定した番組に関するチャンネル、番組名、放送日時、その番組に関する各種属性情報、録画機器設定画面で設定した録画機器の属性情報等を含む録画予約情報を、録画機器設定画面で設定した録画機器に送信する。
【００６７】
その後、制御部６１は、ステップＳ４ｍで、録画機器に問い合わせることにより、その録画機器が録画予約情報に基づいた予約設定を完了したか否かを判別する。そして、予約設定が正常に行なわれなかったと判断された場合（ＮＯ）、制御部６１は、ステップＳ４ｎで、その旨を示す警告として、エラーメッセージを映像表示器１４に表示させて、処理を終了（ステップＳ４ｐ）する。
【００６８】
また、上記ステップＳ４ｍで録画機器に予約設定が正常に行なわれたと判断された場合（ＹＥＳ）、制御部６１は、ステップＳ４ｏで、指定した録画機器に対する録画予約設定を完了し、処理を終了（ステップＳ４ｐ）する。
【００６９】
このように、指定した録画機器に対して録画予約が設定されることにより、予約時間に達すると、予約された番組が、その録画機器の有するチューナで選局されて自動的にデジタル録画されるようになる。
【００７０】
上記した実施の形態によれば、外部接続された録画機器に対して、その録画機器が持つ選局機能を用いて番組を選局し録画を行なうようにしたので、デジタルテレビジョン放送受信装置１１は、自己の持つ選局機能で別の番組を選局することができ、ユーザにとっての利便性を向上させることが可能となる。
【００７１】
なお、制御部６１は、例えばネットワーク等を介して配信される地上アナログ放送の番組情報を取得し、その番組情報に基づいて作成した電子番組表からユーザに所望の番組を選択させて番組指定予約を行なわせることができる。
【００７２】
この場合には、アナログ放送対応のチューナを内蔵した録画機器が指定され、予約時間に達すると、予約された番組が、その録画機器の有するチューナで選局されて自動的に録画されるようになる。
【００７３】
図９は、上記した日時指定録画動作を説明するためのフローチャートを示している。この動作は、ユーザがリモートコントローラ１７のメニューキー１７ｐを操作して映像表示器１４に設定メニューを表示させることにより開始（ステップＳ９ａ）される。
【００７４】
そして、制御部６１は、ユーザが設定メニューの階層から日時指定予約の項目を選択設定したことを検知すると、ステップＳ９ｂで、図１０に示すような日時指定予約画面を表示させる。
【００７５】
この日時指定予約画面では、ユーザがチャンネル及び日時を設定可能である他、その設定されたチャンネル及び日時の放送に対して「録画する」、「録画しない」を選択するための項目、「映像設定」、「音声設定」、「データ設定」、「音声多重設定」、「字幕設定」等の各種属性情報を設定する項目、録画機器を指定するための「録画機器設定」の項目等が表示される。
【００７６】
そして、制御部６１は、ステップＳ９ｃで、日時指定予約画面において、「録画する」の項目が選択設定され、各種属性が決定され、「録画機器設定」の項目が選択設定されたことを検知すると、ステップＳ９ｄで、図１１に示すような録画機器設定画面を表示させる。
【００７７】
この録画機器設定画面において、録画機器が設定されると、制御部６１は、ステップＳ９ｅで、設定された録画機器に問い合わせることでその録画機器の情報を取得し、録画機器設定画面上にその録画機器で設定可能な属性情報（画質モード、音質モード等）を設定するための項目を表示させる。
【００７８】
そして、制御部６１は、ステップＳ９ｆで、録画機器に対する各種属性情報の設定が終了し、「設定完了」の項目が選択設定されたことを検知すると、ステップＳ９ｇで、先にユーザが設定したチャンネル及び日時、設定した各種属性情報、録画機器設定画面で設定した録画機器の属性情報等を含む録画予約情報を、録画機器設定画面で設定した録画機器に送信する。
【００７９】
その後、制御部６１は、ステップＳ９ｈで、録画機器に問い合わせることにより、その録画機器が録画予約情報に基づいた予約設定を完了したか否かを判別する。そして、予約設定が正常に行なわれなかったと判断された場合（ＮＯ）、制御部６１は、ステップＳ９ｉで、その旨を示す警告として、エラーメッセージを映像表示器１４に表示させて、処理を終了（ステップＳ９ｋ）する。
【００８０】
また、上記ステップＳ９ｈで録画機器に予約設定が正常に行なわれたと判断された場合（ＹＥＳ）、制御部６１は、ステップＳ９ｊで、指定した録画機器に対する録画予約設定を完了し、処理を終了（ステップＳ９ｋ）する。
【００８１】
このように、指定した録画機器に対して録画予約が設定されることにより、予約時間に達すると、予約されたチャンネル及び日時の放送が、その録画機器の有するチューナで選局されて自動的にデジタル録画されるようになる。
【００８２】
図９に示した動作によっても、外部接続された録画機器に対して、その録画機器が持つ選局機能を用いて指定されたチャンネル及び日時の放送を選局し録画を行なうようにしたので、デジタルテレビジョン放送受信装置１１は、自己の持つ選局機能で別の番組を選局することができ、ユーザにとっての利便性を向上させることが可能となる。
【００８３】
また、アナログ放送のチャンネル及び日時を指定して録画予約を行ない、アナログ放送対応のチューナを内蔵した録画機器を指定すれば、予約時間に達すると、予約されたチャンネル及び日時のアナログ放送が、その録画機器の有するチューナで選局されて自動的に録画されるようになる。
【００８４】
図１２は、この発明の他の実施の形態を説明するためのフローチャートを示している。上記した実施の形態では、予約設定された録画機器が、自己のチューナで選局した番組を録画することについて述べたが、以下に説明する他の実施の形態では、デジタルテレビジョン放送受信装置１１が自己のチューナ４５，５０，５２で選局し、出力端子５９，６０から出力するアナログ映像信号及びアナログ音声信号を、予約設定された録画機器（例えばＤＶＤレコーダ２９等）で録画する動作について説明している。
【００８５】
これは、録画機器が予約設定された録画待機状態にあるとき、または、録画実行中に、制御部６１が、取得したＥＰＧ情報から番組の延長を認識したとき、録画機器に録画時間の延長を指示する内容となっている。
【００８６】
すなわち、この動作は、ユーザがリモートコントローラ１７の番組表キー１７ｈを操作して、電子番組表を映像表示器１４に表示させることによって、開始（ステップＳ１２ａ）される。
【００８７】
そして、制御部６１は、ステップＳ１２ｂで、電子番組表の中から所望の番組が選択設定されたことを検知すると、図７に示したような番組指定予約画面を表示させる。この番組指定予約画面では、先に述べたように、電子番組表の中からユーザが選択設定した番組に関するチャンネル、番組名、放送日時等が表示される他、その番組に対して「録画する」、「録画しない」を選択するための項目、「映像設定」、「音声設定」、「データ設定」、「音声多重設定」、「字幕設定」、「延長設定」等の各種属性情報を設定する項目、録画機器を指定するための「録画機器設定」の項目等が表示される。このうち、「延長設定」の項目は、番組が延長された場合に、録画を延長に対応させるか否かを設定する項目である。
【００８８】
そして、制御部６１は、番組指定予約画面において、「録画する」の項目が選択設定され、各種属性が決定され、「録画機器設定」の項目が選択設定されると、図８に示したような録画機器設定画面を表示させる。
【００８９】
この録画機器設定画面において、録画機器が設定されると、制御部６１は、設定された録画機器に問い合わせることでその録画機器の情報を取得し、録画機器設定画面上にその録画機器で設定可能な属性情報（画質モード、音質モード等）を設定するための項目を表示させる。
【００９０】
このようにして、制御部６１は、ステップＳ１２ｃで、先に電子番組表の中からユーザが選択設定した番組に関するチャンネル、番組名、放送日時、その番組に関する各種属性情報、録画機器設定画面で設定した録画機器の属性情報等を含む録画予約情報が設定されたことを検知すると、ステップＳ１２ｄで、その録画予約情報を録画機器設定画面で設定した録画機器に送信する。
【００９１】
その後、制御部６１は、ステップＳ１２ｅで、録画機器に問い合わせることにより、その録画機器が録画予約情報に基づいた予約設定を完了したか否かを判別する。そして、予約設定が正常に行なわれなかったと判断された場合（ＮＯ）、制御部６１は、ステップＳ１２ｆで、その旨を示す警告として、エラーメッセージを映像表示器１４に表示させて、処理を終了（ステップＳ１２ｈ）する。
【００９２】
また、上記ステップＳ１２ｅで録画機器に予約設定が正常に行なわれたと判断された場合（ＹＥＳ）、制御部６１は、ステップＳ１２ｇで、指定した録画機器に対する録画予約設定を完了し、処理を終了（ステップＳ１２ｈ）する。
【００９３】
このように、指定した録画機器に対して録画予約が設定されることにより、予約時間に達すると、デジタルテレビジョン放送受信装置１１のチューナ４５，５０，５２で選局された番組のアナログ映像信号及びアナログ音声信号が、出力端子５９，６０からアナログ伝送路３０を介して録画機器（ＤＶＤレコーダ２９）に供給される。
【００９４】
また、このとき、録画機器は、録画予約情報に基づいてデジタルテレビジョン放送受信装置１１から出力されるアナログの映像及び音声信号の録画動作を開始し、録画が行なわれるようになる。
【００９５】
図１３及び図１４は、それぞれ、録画機器が予約設定された録画待機状態にあるとき、または、録画実行中に、制御部６１が、取得したＥＰＧ情報から番組の延長を認識したときの動作を説明するためのフローチャートを示している。
【００９６】
まず、図１３において、この動作は、録画機器が録画待機状態または録画実行中に開始（ステップＳ１３ａ）される。そして、制御部６１は、ステップＳ１３ｂで、ＥＰＧ情報から番組の延長を認識すると、ステップＳ１３ｃで、録画機器が搭載している録画機能に対して延長録画コマンドを指示し、つまり、録画機器の持つ録画機能を制御して録画を延長させるように設定し、処理を終了（ステップＳ１３ｄ）する。
【００９７】
また、図１４において、この動作は、録画機器が録画待機状態または録画実行中に開始（ステップＳ１４ａ）される。そして、制御部６１は、ステップＳ１４ｂで、ＥＰＧ情報から番組の延長を認識すると、ステップＳ１４ｃで、録画機器に対して番組の延長された終了時間等を指示し、つまり、録画機器に設定されている時間を変更して録画を延長させるように設定し、処理を終了（ステップＳ１４ｄ）する。
【００９８】
このような動作により、録画待機状態または録画実行中に、番組の延長に自動的に対応することができ、ユーザにとっての利便性を向上させることができる。
【００９９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１００】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置の番組指定録画動作の一部を説明するために示すフローチャート。
【図５】同実施の形態におけるデジタルテレビジョン放送受信装置の番組指定録画動作の残部を説明するために示すフローチャート。
【図６】同実施の形態におけるデジタルテレビジョン放送受信装置で表示される電子番組表の一例を説明するために示す図。
【図７】同実施の形態におけるデジタルテレビジョン放送受信装置で表示される番組指定予約画面の一例を説明するために示す図。
【図８】同実施の形態におけるデジタルテレビジョン放送受信装置で表示される録画機器設定画面の一例を説明するために示す図。
【図９】同実施の形態におけるデジタルテレビジョン放送受信装置の日時指定録画動作を説明するために示すフローチャート。
【図１０】同実施の形態におけるデジタルテレビジョン放送受信装置で表示される日時指定予約画面の一例を説明するために示す図。
【図１１】同実施の形態におけるデジタルテレビジョン放送受信装置で表示される録画機器設定画面の他の例を説明するために示す図。
【図１２】この発明の他の実施の形態に係る動作を説明するために示すフローチャート。
【図１３】同他の実施の形態における番組の延長を認識したときの動作の一例を説明するために示すフローチャート。
【図１４】同他の実施の形態における番組の延長を認識したときの動作の他の例を説明するために示すフローチャート。
【符号の説明】
【０１０１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006094432.tif 000003
【図２】
2006094432.tif 000004
【図３】
2006094432.tif 000005
【図４】
2006094432.tif 000006
【図５】
2006094432.tif 000007
【図６】
2006094432.tif 000008
【図７】
2006094432.tif 000009
【図８】
2006094432.tif 000010
【図９】
2006094432.tif 000011
【図１０】
2006094432.tif 000012
【図１１】
2006094432.tif 000013
【図１２】
2006094432.tif 000014
【図１３】
2006094432.tif 000015
【図１４】
2006094432.tif 000016